【手続補正書】
【提出日】平成15年9月11日(2003.9.11)
【手続補正１】
【補正対象書類名】明細書
【補正対象項目名】発明の名称
【補正方法】変更
【補正の内容】
【発明の名称】情報の送信方法
【手続補正２】
【補正対象書類名】明細書
【補正対象項目名】０００４
【補正方法】変更
【補正の内容】
【０００４】
以下において、情報プロバイダは、グローバル情報プロバイダ、すなわち、原理的にエンド・ユーザに対して情報をグローバルに、また制約なしに提供する情報プロバイダ、言い換えれば、すべてのさまざまな人に利用可能な情報を提供する情報プロバイダを意味すると解釈すべきである。情報プロバイダが蓄積する情報は、動的あるいは静的データを含むことができる。ここにおける動的データというのは、しばしば変更され、常に変更されるデータを意味し、大量の有効なデータが常時変動しているデータを意味すると解釈されるべきである。しかし、静的データは、たまに変更されるか、あるいは全く変化しない。動的と静的という２つのデータ分類は、データの変わりやすさの両極端を示している。実際には、大半のデータは、永久的で静的なデータであるこれら２つの極端の中間に属するはずである。しかし、最新の気象情報や最新の株式情報は、迅速に変化し、従って動的である。これらのデータの変わりやすさは、従って変動的である。他方、気象報告やニュースは、短期間あるいは長期間にわたって有効であり、従って、それらデータは、長期間でみれば動的であっても、それらが有効な期間は、静的とみなされる。動的データは、それらが、例えば、時系列に取り込まれ、無制限に有効となれば静的となる。同じことが単一事象に関する動的データにも当てはまるが、これは、静的で無期限にわたって有効な状態への歴史的データの変化であるとみなされる。短期間に動的なデータは、従って別の意味では無制限に有効であり、従って静的である。これは、情報には準静的なデータあるいはすべてのタイプのデータ、すなわち、動的、静的および準静的データの混在が含まれることを意味する。静的データを含む情報は、多分、他のタイプのデータよりも多量のデータを含み、従って情報プロバイダからエンド・ユーザに送信すべきときには、データ量に関して最も資源を要求することになる。このことから、そのようなデータを双方向通信網、特に、インターネットのような共有ネットワーク資源において送信することは、大量の送信資源を要求し、トラフィック問題につながる可能性が高い。同時に、そのような双方向ネットワークは、例えば、ネットワーク中で活動的なオペレータ間のメッセージ送信のような実時間通信と基本的にみなして処理すべきデータ送信を取り扱わなければならない。従って、基本的に望ましいのは、双方向データ網以外の別の方法で大量の静的情報を送信できることであり、そうすれば双方向データ網は、解放されて、例えば、有効性が限られていてトラフィックに関わる障害なしに非常に迅速に送信することが必要な動的データを実時間送信したり、通常のメッセージ通信を実行処理したりできるようになる。
【手続補正３】
【補正対象書類名】明細書
【補正対象項目名】００１１
【補正方法】変更
【補正の内容】
【００１１】
上述の目的と、その他の特徴および利点は、本発明に従う方法で実現できる。その方法の特徴は、提供される情報を一組の対応する設定された定量的および定性的分類基準を含む固有の分類キーで分類することによって、各々のデータ・ファイルに対して固有の分類キーを割り当てること、１つの送信について２以上の設定された送信用基準によって形成され、それらの基準の有効な基準組合せを示す要素を含む優先マトリクスに基づいて、データ・ファイルを送信するための優先プロトコルを生成すること、各々の分類されたデータ・ファイルに対して生成された優先プロトコルのうちから、データ・ファイルの分類キーに基づいて選ばれた少なくとも１つの優先プロトコルを割り当て、データ・ファイルに割り当てられた少なくとも１つの優先プロトコルがデータ・ファイルの送信条件を決定するようにすること、グローバル情報プロバイダから１または複数のエンド・ユーザにデータ・ファイルに割り当てられた少なくとも１つの優先プロトコルに基づいてデータ・ファイルを直接あるいは間接的に送信する１または複数チャネルを選択すること、次のモード、すなわち、（I）１または複数のデータ・ファイルは、少なくとも１つの優先プロトコルまたはその状況に対して割り当てられる少なくとも１つの優先プロトコルに従ってエンド・ユーザに直接送信され、（II）１または複数のデータ・ファイルは、少なくとも１つの優先プロトコルに従って１または複数のエンド・ユーザにデフォルトとして自動的に送信され、（III）１または複数のデータ・ファイルは、少なくとも１つの優先プロトコルまたはその状況に対して割り当てられる別の優先プロトコルに対して送信され、送信された情報は、物理的にエンド・ユーザに近接して記憶されるため、送信された情報の記憶が１または限られた数のエンド・ユーザにサービス提供するローカル・サーバの大容量記憶装置あるいはエンド・ユーザに対応する大容量記憶装置上で実行されることによって、送信された情報は、そのあとでエンド・ユーザが瞬時あるいは、ほとんど瞬時にアクセスできるようになり、それぞれの場合に、情報は、エンド・ユーザと大容量記憶装置との間の直接接続上でアクセスできるようになるモードの１つで送信された１または複数のデータ・ファイル中の情報にアクセスすることである。
【手続補正４】
【補正対象書類名】明細書
【補正対象項目名】００４７
【補正方法】変更
【補正の内容】
【００４７】
図１は、オープン通信ドメインＢ中の代替データ通信経路１、２、３を示している。これらのデータ通信経路は、グローバル情報プロバイダ４からエンド・ユーザ５に情報を送信するために使用できる。グローバル情報プロバイダ４は、共有ネットワーク資源（ＳＮＲ）によって形成されたドメインＡ中に位置することができ、この共有ネットワーク資源（ＳＮＲ）は、インターネットでよく、従って以下ではＳＮＲドメインをインターネットあるいはインターネット・ドメインとして説明することにする。グローバル情報プロバイダ４は、このように、一般のウエブ・サーバとみなすこともでき、本発明の目的のためには、グローバル情報プロバイダは、それぞれインターネット・ドメインＡおよびオープン・ドメインＢ中のウエブ・サーバおよびプロキシ・サーバを構成するものとみなすことにする。オープン・ドメイン中のデータ通信経路１、２、３は、例えば、データ・ネットワークで構成されており、インターネット上でトラフィックを処理するデータ・ネットワークとは対照的にＴＣＰ／ＩＰ（Ｒ）（伝送制御プロトコル／インターネット・プロトコル）の対象とはならない。このことは、オープン・ドメインのオペレータは、それが情報プロバイダ、プロキシ・サーバあるいはエンド・ユーザのいずれであろうとも、自由にネットワーク接続を選ぶことができ、そのような特別なネットワーク接続が一般にネットワーク・オペレータによって提供されることを意味する。図１において、接続は、数あるなかから、少なくとも衛星通信やブロード・バンド・ケーブル・システム、更に多分、地上ベースの無線データ通信システムのような異なる形式のものを含むことができる一方向ブロード・バンド・チャネル１として、あるいは、メッセージ・トラフィックとして理解すべきであり、更にはデータ通信にも利用できる双方向電気通信ライン２として示されている。もちろん、そのような双方向電気通信ライン２がブロード・バンド容量を提供することを妨げるものはないが、原理的に、それらは、オープン通信ドメインＢ中ですべてのオペレータにとって自由に利用できるので、各々のすべてのものが複数チャネルを含み、それらは、通常の電気通信活動において時間のほとんどを占有され、更に、各々は、限られた帯域幅しか提供できない。一方向ブロード・バンド・チャネルは、これとは逆に、大ボリュームのデータの送信を短時間に行うことができ、それらは、通常の音声およびテキスト通信よりも広い帯域幅を必要とするテレビジョンおよびビデオ情報の送信に適用できることで実証される。図１のオープン・ドメイン中のデータ通信経路１、２は、グローバル情報プロバイダ４、すなわち、この場合、このドメインＢのプロキシ・サーバが優先プロトコルに従ってエンド・ユーザ５に優先プロトコルに基づいて選んだデータ通信経路上を情報を配信することができるように配慮するが、これは、もちろん、どんな場合でも選ばれたデータ・ネットワーク中の送信に特有な送信または通信プロトコルと一致するとみなされるというわけではない。データ通信網の利用の程度には地域および日中で変動があり、そのような変動は、たとえば、ネットワーク・オペレータからの情報に基づいて、グローバル情報プロバイダによって、たとえば、エンド・ユーザへの速度およびコストを最適化した送信を保証するために利用される。例えば、加入している１または複数のユーザに情報が自動的およびデフォルトで送信される場合は、その情報は、通常は決められたタイプのデータ通信網上で発生するため、データ・タイプ、すなわち、それが動的であるか準静的であるかに基づき、更にデータの有効性に依存して、情報の送信は、どんな場合もエンド・ユーザに最適な方法で行われる。ここで、送信すべきファイルのボリュームもまた関連する。
【手続補正５】
【補正対象書類名】明細書
【補正対象項目名】００４８
【補正方法】変更
【補正の内容】
【００４８】
しかし、オープン・ドメインＢのデータ通信網中の送信のための別の輸送経路として、情報を適当な輸送経路３を通って物理的に輸送し、その目的で形成されたメモリ装置に記憶することができる。この場合、グローバル情報プロバイダ４は、プロキシ・サーバ中の物理的に輸送可能なメモリにメモリからメモリへの転送によって提供された情報を直接転送することができ、その後、このメモリを、例えば、通常の郵便サービス、宅配サービス等を含む任意の適当な方法でエンド・ユーザに物理的に輸送することができる。皮肉なことに、十分大きい容量および大ボリュームのデータを含むものは、オープン・ドメイン中の通常のデータ通信網の送信レートと比べて高く、従って、データがほとんど無限の有効性を有する限り、エンド・ユーザ５のための輸送可能なメモリ装置の物理的輸送は、情報送信のための効率的かつ費用対効果の大きい方法である。例えば、メモリ装置が１テラ・ビットを含むとして、それが宅配によってグローバル情報プロバイダからエンド・ユーザに数日中に配送されるとすると、データ・レートとしては約１０ビット／１．７５・１０5秒、すなわち、少なくとも５・１０6ビット／秒となり、宅配サービスの場合よりずっと高い送信コストを有し同程度の長期間を要する２メガ・ビット／秒のチャネルを２ないし３チャネル分占有するほどのものとなる。